(57)【要約】  方法は、送信元デバイスにおいて、電気電子技術者協会（ＩＥＥＥ）８０２．１１ワイヤレスネットワークを介して送信するためのデータパケットを生成することを含む。方法はまた、シングルキャリア変調方式に従って、データパケットの少なくとも一部を宛先デバイスに送信することを含む。
2017502547.tif 000002
【特許請求の範囲】
【請求項１】
送信元デバイスにおいて、電気電子技術者協会（ＩＥＥＥ）８０２．１１ワイヤレスネットワークを介して送信するためのデータパケットを生成することと、
シングルキャリア周波数分割多元接続（ＳＣ−ＦＤＭＡ）変調方式に従って、前記データパケットの少なくとも一部を宛先デバイスに送信することと
を備える、方法。
【請求項２】
前記送信がアップリンク送信に対応する、請求項１に記載の方法。
【請求項３】
前記データパケットの前記少なくとも一部を前記送信することが、第１の複数の副搬送波を介して前記データパケットの前記少なくとも一部を送信することを備え、ここにおいて、前記第１の複数の副搬送波の各副搬送波が前記送信元デバイスに割り振られる、請求項１に記載の方法。
【請求項４】
１つまたは複数の追加の副搬送波が、１つまたは複数の追加の送信元デバイスに割り振られる、請求項３に記載の方法。
【請求項５】
前記第１の複数の副搬送波の前記副搬送波が、前記１つまたは複数の追加の副搬送波の前記副搬送波とインタリーブされる、請求項４に記載の方法。
【請求項６】
前記第１の複数の副搬送波の各副搬送波が特定の周波数帯域内にあり、ここにおいて、前記１つまたは複数の追加の副搬送波が、前記特定の周波数帯域と重複しない１つまたは複数の他の周波数帯域内にある、請求項４に記載の方法。
【請求項７】
前記データパケットのプリアンブルが、レガシーショートトレーニングフィールドと、レガシーロングトレーニングフィールドと、レガシー信号フィールドとを備える、請求項１に記載の方法。
【請求項８】
追加の送信元デバイスが、前記データパケットに関連付けられる搬送波周波数上で送信することを防止するために、前記レガシーショートトレーニングフィールドが直交周波数分割多重（ＯＦＤＭ）方式に従って送信される、請求項７に記載の方法。
【請求項９】
前記データパケットのプリアンブルが、高効率ショートトレーニングフィールドと、高効率ロングトレーニングフィールドと、高効率信号フィールドとを備える、請求項１に記載の方法。
【請求項１０】
前記データパケットを前記生成することが、
変換係数を生成するために、データシンボルに変換動作を実行することと、
各変換係数を副搬送波にマッピングすることと
を備える、請求項１に記載の方法。
【請求項１１】
前記変換動作が離散フーリエ変換（ＤＦＴ）動作に対応する、請求項１０に記載の方法。
【請求項１２】
メモリと、
前記メモリに結合されたプロセッサとを備え、前記プロセッサが、
電気電子技術者協会（ＩＥＥＥ）８０２．１１ワイヤレスネットワークを介して送信するためのデータパケットを生成し、
シングルキャリア周波数分割多元接続（ＳＣ−ＦＤＭＡ）変調方式に従って、前記データパケットの少なくとも一部を宛先デバイスに送信するように動作可能であり、
ここにおいて、前記メモリおよび前記プロセッサが送信元デバイスに含まれる、装置。
【請求項１３】
前記送信がアップリンク送信に対応する、請求項１２に記載の装置。
【請求項１４】
前記プロセッサが、第１の複数の副搬送波を介して前記データパケットの前記少なくとも一部を送信するように動作可能であり、ここにおいて、前記第１の複数の副搬送波の各副搬送波が前記送信元デバイスに割り振られる、請求項１２に記載の装置。
【請求項１５】
１つまたは複数の追加の副搬送波が、１つまたは複数の追加の送信元デバイスに割り振られる、請求項１４に記載の装置。
【請求項１６】
送信元デバイスにおいて、電気電子技術者協会（ＩＥＥＥ）８０２．１１ワイヤレスネットワークを介してアップリンク送信するためのデータパケットを生成することと、
シングルキャリア変調方式に従って、前記データパケットの少なくとも一部を宛先デバイスに送信することとを備え、ここにおいて、前記宛先デバイスからのダウンリンク送信が、マルチキャリア変調方式に従って、前記ＩＥＥＥ８０２．１１ワイヤレスネットワークを介して前記送信元デバイスにおいて受信される、方法。
【請求項１７】
前記シングルキャリア変調方式が、シングルキャリア周波数分割多元接続（ＳＣ−ＦＤＭＡ）変調方式に対応する、請求項１６に記載の方法。
【請求項１８】
前記データパケットの前記少なくとも一部を前記送信することが、第１の複数の副搬送波を介して前記データパケットの前記少なくとも一部を送信することを備え、ここにおいて、前記第１の複数の副搬送波の各副搬送波が前記送信元デバイスに割り振られる、請求項１６に記載の方法。
【請求項１９】
１つまたは複数の追加の副搬送波が、１つまたは複数の追加の送信元デバイスに割り振られる、請求項１８に記載の方法。
【請求項２０】
前記第１の複数の副搬送波の前記副搬送波が、前記１つまたは複数の追加の副搬送波の前記副搬送波とインタリーブされる、請求項１９に記載の方法。
【請求項２１】
前記第１の複数の副搬送波の各副搬送波が特定の周波数帯域内にあり、ここにおいて、前記１つまたは複数の追加の副搬送波が、前記特定の周波数帯域と重複しない１つまたは複数の他の周波数帯域内にある、請求項１９に記載の方法。
【請求項２２】
前記データパケットのプリアンブルが、レガシーショートトレーニングフィールドと、レガシーロングトレーニングフィールドと、レガシー信号フィールドとを備える、請求項１６に記載の方法。
【請求項２３】
追加の送信元デバイスが、前記データパケットに関連付けられる搬送波周波数上で送信することを防止するために、前記レガシーショートトレーニングフィールドが直交周波数分割多重（ＯＦＤＭ）方式に従って送信される、請求項２２に記載の方法。
【請求項２４】
前記データパケットのプリアンブルが、高効率ショートトレーニングフィールドと、高効率ロングトレーニングフィールドと、高効率信号フィールドとを備える、請求項１６に記載の方法。
【請求項２５】
前記データパケットを前記生成することが、
変換係数を生成するために、データシンボルに変換動作を実行することと、
各変換係数を副搬送波にマッピングすることと
を備える、請求項１６に記載の方法。
【請求項２６】
前記変換動作が離散フーリエ変換（ＤＦＴ）動作に対応する、請求項２５に記載の方法。
【請求項２７】
メモリと、
前記メモリに結合されたプロセッサとを備え、前記プロセッサが、
電気電子技術者協会（ＩＥＥＥ）８０２．１１ワイヤレスネットワークを介してアップリンク送信するためのデータパケットを生成し、
シングルキャリア変調方式に従って、前記データパケットの少なくとも一部を宛先デバイスに送信するように動作可能であり、ここにおいて、前記メモリおよび前記プロセッサが送信元デバイスに含まれ、ここにおいて、前記宛先デバイスからのダウンリンク送信が、マルチキャリア変調方式に従って、前記ＩＥＥＥ８０２．１１ワイヤレスネットワークを介して前記送信元デバイスにおいて受信される、装置。
【請求項２８】
前記シングルキャリア変調方式が、シングルキャリア周波数分割多元接続（ＳＣ−ＦＤＭＡ）変調方式に対応する、請求項２７に記載の装置。
【請求項２９】
前記プロセッサが、第１の複数の副搬送波を介して前記データパケットの前記少なくとも一部を送信するように動作可能であり、ここにおいて、前記第１の複数の副搬送波の各副搬送波が前記送信元デバイスに割り振られる、請求項２７に記載の装置。
【請求項３０】
１つまたは複数の追加の副搬送波が、１つまたは複数の追加の送信元デバイスに割り振られる、請求項２９に記載の装置。
【発明の詳細な説明】
【技術分野】
【０００１】
優先権の主張
[0001]  本出願は、同一出願人が所有する、２０１３年１１月７日に出願された米国仮特許出願第６１／９０１，３５９、および２０１４年１１月５日に出願された米国非仮特許出願第１４／５３３，９５７号の優先権を主張し、それらの内容全体が参照により本明細書に明示的に組み込まれる。
【０００２】
[0002]  本開示は、一般に、シングルキャリア変調方式を使用してデータを通信することに関する。
【背景技術】
【０００３】
[0003]  技術の進歩は、より小さく、より強力なコンピューティングデバイスをもたらした。たとえば、現在は、小型で、軽量で、また容易にユーザによって運ばれる、ポータブルワイヤレス電話、携帯情報端末（ＰＤＡ）、およびページングデバイスなどのワイヤレスコンピューティングデバイスを含む、様々なポータブルパーソナルコンピューティングデバイスが存在する。より具体的には、セルラー電話およびインターネットプロトコル（ＩＰ）電話などのポータブルワイヤレス電話は、ワイヤレスネットワークを介して音声およびデータパケットを通信することができる。さらに、多くのそのようなワイヤレス電話は、そこに組み込まれる他のタイプのデバイスを含む。たとえば、ワイヤレス電話は、デジタルスチルカメラと、デジタルビデオカメラと、デジタルレコーダと、オーディオファイルプレーヤとを含むこともできる。また、そのようなワイヤレス電話は、インターネットにアクセスするために使用され得るウェブブラウザアプリケーションなどのソフトウェアアプリケーションを含む実行可能命令を処理することができる。そのため、これらのワイヤレス電話は、かなりのコンピューティング能力を含むことができる。
【０００４】
[0004]  様々なワイヤレスプロトコルおよび規格は、ワイヤレス電話および他のワイヤレスデバイスによって使用可能であり得る。たとえば、一般的に「Ｗｉ−Ｆｉ（登録商標）」と呼ばれる、電気電子技術者協会（ＩＥＥＥ：Institute of Electrical and Electronics Engineers）８０２．１１は、ワイヤレスローカルエリアネットワーク（ＷＬＡＮ）通信プロトコルの規格化されたセットである。Ｗｉ−Ｆｉプロトコルでは、送信元デバイス（source device）から宛先デバイス（destination device）へのアップリンク送信は、送信元デバイスにおいて比較的大量の電力を消費する場合がある。より高い送信電力は、送信元デバイスのバッテリ寿命を減少させ得る。
【発明の概要】
【０００５】
[0005]  データパケット（たとえば、波形（waveform））は、アップリンク送信の電力消費を低減して、クライアントデバイスにおけるバッテリ寿命を改善する（たとえば、延長する）ために、シングルキャリア変調方式（たとえば、シングルキャリア周波数分割多元接続（ＳＣ−ＦＤＭＡ：single carrier frequency division multiple access）変調方式）を使用して送信され得る。
【０００６】
[0006]  アップリンク送信のためのシングルキャリア変調方式（single carrier modulation scheme）をＷｉ−Ｆｉに組み込むために、様々な物理層（ＰＨＹ：physical layer）パラメータおよび設計が使用され得る。本開示は、ワイヤレス通信（たとえば、ＩＥＥＥ８０２．１１）システムで使用するためのシングルキャリアアップリンク送信を提供する。
【０００７】
[0007]  特定の実施形態では、方法は、送信元デバイスにおいて、電気電子技術者協会（ＩＥＥＥ）８０２．１１ワイヤレスネットワークを介して送信するためのデータパケットを生成することを含む。方法はまた、シングルキャリア周波数分割多元接続（ＳＣ−ＦＤＭＡ）変調方式に従って、データパケットの少なくとも一部を宛先デバイスに送信することを含む。
【０００８】
[0008]  別の特定の実施形態では、装置は、電気電子技術者協会（ＩＥＥＥ）８０２．１１ワイヤレスネットワークを介して送信するためのデータパケットを生成するように動作可能である送信元デバイスを含む。送信元デバイスはまた、シングルキャリア周波数分割多元接続（ＳＣ−ＦＤＭＡ）変調方式に従って、データパケットの少なくとも一部を宛先デバイスに送信するように動作可能である。
【０００９】
[0009]  別の特定の実施形態では、装置は、電気電子技術者協会（ＩＥＥＥ）８０２．１１ワイヤレスネットワークを介して送信するためのデータパケットを生成するための手段を含む。装置はまた、シングルキャリア周波数分割多元接続（ＳＣ−ＦＤＭＡ）変調方式に従って、データパケットの少なくとも一部を宛先デバイスに送信するための手段を含む。
【００１０】
[0010]  別の特定の実施形態では、非一時的コンピュータ可読媒体は、プロセッサによって実行されると、プロセッサに、電気電子技術者協会（ＩＥＥＥ）８０２．１１ワイヤレスネットワークを介して送信するためのデータパケットを生成させる命令を含む。命令はまた、プロセッサに、シングルキャリア周波数分割多元接続（ＳＣ−ＦＤＭＡ）変調方式に従って、データパケットの少なくとも一部を宛先デバイスに送信させるよう実行可能である。
【００１１】
[0011]  別の特定の実施形態では、方法は、送信元デバイスにおいて、電気電子技術者協会（ＩＥＥＥ）８０２．１１ワイヤレスネットワークを介してアップリンク送信するためのデータパケットを生成することを含む。方法はまた、シングルキャリア続変調方式に従って、データパケットの少なくとも一部を宛先デバイスに送信することを含む。宛先デバイスからのダウンリンク送信は、マルチキャリア変調方式（multi-carrier modulation scheme）に従って、ＩＥＥＥ８０２．１１ワイヤレスネットワークを介して送信元デバイスにおいて受信される。
【００１２】
[0012]  別の特定の実施形態では、装置は、電気電子技術者協会（ＩＥＥＥ）８０２．１１ワイヤレスネットワークを介してアップリンク送信のためのデータパケットを生成するように動作可能である送信元デバイスを含む。送信元デバイスはまた、シングルキャリア変調方式に従って、データパケットの少なくとも一部を宛先デバイスに送信するように動作可能である。宛先デバイスからのダウンリンク送信は、マルチキャリア変調方式に従って、ＩＥＥＥ８０２．１１ワイヤレスネットワークを介して送信元デバイスにおいて受信される。
【００１３】
[0013]  別の特定の実施形態では、装置は、電気電子技術者協会（ＩＥＥＥ）８０２．１１ワイヤレスネットワークを介してアップリンク送信するためのデータパケットを生成するための手段を含む。装置はまた、シングルキャリア変調方式に従って、データパケットの少なくとも一部を宛先デバイスに送信するための手段を含む。宛先デバイスからのダウンリンク送信は、マルチキャリア変調方式に従って、ＩＥＥＥ８０２．１１ワイヤレスネットワークを介して生成するための手段で受信される。
【００１４】
[0014]  別の特定の実施形態では、非一時的コンピュータ可読媒体は、プロセッサによって実行されると、プロセッサに、電気電子技術者協会（ＩＥＥＥ）８０２．１１ワイヤレスネットワークを介してアップリンク送信するためのデータパケットを生成させる命令を含む。命令はまた、プロセッサに、シングルキャリア変調方式に従って、データパケットの少なくとも一部を宛先デバイスに送信させるよう実行可能である。宛先デバイスからのダウンリンク送信は、マルチキャリア変調方式に従って、ＩＥＥＥ８０２．１１ワイヤレスネットワークを介してプロセッサで受信される。
【００１５】
[0015]  別の特定の実施形態では、方法は、宛先デバイスにおいて、シングルキャリア周波数分割多元接続（ＳＣ−ＦＤＭＡ）変調方式に従って、送信元デバイスからデータパケットの少なくとも一部を受信することを含む。データパケットは、電気電子技術者協会（ＩＥＥＥ）８０２．１１ワイヤレスネットワークを介して受信される。方法はまた、データパケットを処理することを含む。
【００１６】
[0016]  別の特定の実施形態では、装置は、シングルキャリア周波数分割多元接続（ＳＣ−ＦＤＭＡ）変調方式に従って、送信元デバイスからデータパケットの少なくとも一部を受信するように動作可能である宛先デバイスを含む。データパケットは、電気電子技術者協会（ＩＥＥＥ）８０２．１１ワイヤレスネットワークを介して受信される。宛先デバイスはまた、データパケットを処理するように動作可能である。
【００１７】
[0017]  別の特定の実施形態では、装置は、シングルキャリア周波数分割多元接続（ＳＣ−ＦＤＭＡ）変調方式に従って、送信元デバイスからデータパケットの少なくとも一部を受信するための手段を含む。データパケットは、電気電子技術者協会（ＩＥＥＥ）８０２．１１ワイヤレスネットワークを介して受信される。装置はまた、データパケットを処理するための手段を含む。
【００１８】
[0018]  別の特定の実施形態では、非一時的コンピュータ可読媒体は、プロセッサによって実行されると、プロセッサに、シングルキャリア周波数分割多元接続（ＳＣ−ＦＤＭＡ）変調方式に従って、送信元デバイスからデータパケットの少なくとも一部を受信させる命令を含む。データパケットは、電気電子技術者協会（ＩＥＥＥ）８０２．１１ワイヤレスネットワークを介して受信される。命令はまた、プロセッサに、データパケットを処理させるように実行可能である。
【００１９】
[0019]  別の特定の実施形態では、方法は、宛先デバイスにおいて、送信元デバイスからアップリンク送信を受信することを含む。アップリンク送信は、シングルキャリア変調方式に従って受信されるデータパケットの少なくとも一部を含む。データパケットは、電気電子技術者協会（ＩＥＥＥ）８０２．１１ワイヤレスネットワークを介して受信される。方法はまた、データパケットを処理することを含む。宛先デバイスからのダウンリンク送信は、マルチキャリア変調方式に従って、ＩＥＥＥ８０２．１１ワイヤレスネットワークを介して送信される。
【００２０】
[0020]  別の特定の実施形態では、装置は、送信元デバイスからアップリンク送信を受信するように動作可能である宛先デバイスを含む。アップリンク送信は、シングルキャリア変調方式に従って受信されるデータパケットの少なくとも一部を含む。データパケットは、電気電子技術者協会（ＩＥＥＥ）８０２．１１ワイヤレスネットワークを介して受信される。宛先デバイスはまた、データパケットを処理するように動作可能である。宛先デバイスからのダウンリンク送信は、マルチキャリア変調方式に従って、ＩＥＥＥ８０２．１１ワイヤレスネットワークを介して送信される。
【００２１】
[0021]  別の特定の実施形態では、装置は、送信元デバイスからアップリンク送信を受信するための手段を含む。アップリンク送信は、シングルキャリア変調方式に従って受信されるデータパケットの少なくとも一部を含む。データパケットは、電気電子技術者協会（ＩＥＥＥ）８０２．１１ワイヤレスネットワークを介して受信される。装置はまた、データパケットを処理するための手段を含む。処理するための手段からのダウンリンク送信は、マルチキャリア変調方式に従って、ＩＥＥＥ８０２．１１ワイヤレスネットワークを介して送信される。
【００２２】
[0022]  別の特定の実施形態では、非一時的コンピュータ可読媒体は、プロセッサによって実行されると、プロセッサに、送信元デバイスからアップリンク送信を受信させる命令を含む。アップリンク送信は、シングルキャリア変調方式に従って受信されるデータパケットの少なくとも一部を含む。データパケットは、電気電子技術者協会（ＩＥＥＥ）８０２．１１ワイヤレスネットワークを介して受信される。命令はまた、プロセッサに、データパケットを処理させるように実行可能である。プロセッサからのダウンリンク送信は、マルチキャリア変調方式に従って、ＩＥＥＥ８０２．１１ワイヤレスネットワークを介して送信される。
【００２３】
[0023]  開示される実施形態のうちの少なくとも１つによって提供されるある特定の利点は、電気電子技術者協会（ＩＥＥＥ）８０２．１１ワイヤレスネットワークを介してシングルキャリア変調方式をアップリンク送信に実装することによる、低減された電力消費、およびアップリンク送信中の改善されたピーク対平均電力比（ＰＡＰＲ：peak-to-average power ratio）である。本開示の他の態様、利点、および特徴は、以下のセクションを含む、本出願全体を再考察した後に明らかになるであろう：図面の簡単な説明、発明を実施するための形態、および特許請求の範囲。
【図面の簡単な説明】
【００２４】
【図１】[0024]  シングルキャリア変調方式を使用して、ワイヤレスネットワークを介してデータパケットを送信するように動作可能であるデバイスを含むシステムの特定の例示的な実施形態のブロック図。
【図２】[0025]  シングルキャリア変調方式で使用される副搬送波マッピングの特定の例示的な実施形態を示す図。
【図３】[0026]  シングルキャリア変調方式に従って生成されるデータパケットの特定の例示的な実施形態を示す図。
【図４】[0027]  シングルキャリア変調方式による、送信元デバイスおよび宛先デバイスの特定の実施形態を示す図。
【図５】[0028]  シングルキャリア変調方式を使用して、電気電子技術者協会ＩＥＥＥ８０２．１１ワイヤレスネットワークを介してデータを通信するための方法の特定の実施形態を示す図。
【図６】[0029]  シングルキャリア変調方式を使用して、ＩＥＥＥ８０２．１１ワイヤレスネットワークを介してデータを通信するための方法の他の特定の実施形態を示す図。
【図７】[0030]  本明細書で開示する１つまたは複数の方法、システム、装置、および／またはコンピュータ可読媒体の様々な実施形態をサポートするように動作可能であるワイヤレスデバイスの図。
【発明を実施するための形態】
【００２５】
[0031]  図１を参照すると、シングルキャリア変調方式を使用して、ワイヤレスネットワークを介してデータパケットを送信するように動作可能であるデバイスを含むシステム１００の特定の例示的な実施形態が示されている。システム１００は、ワイヤレスネットワーク１５０を介して宛先デバイス１２２とワイヤレスに通信するように構成された、第１の送信元デバイス１０２と第２の送信元デバイス１１６とを含む。
【００２６】
[0032]  特定の実施形態では、ワイヤレスネットワーク１５０は、電気電子技術者協会（ＩＥＥＥ）８０２．１１タイプのワイヤレスネットワーク（たとえば、Ｗｉ−Ｆｉネットワーク）である。たとえば、ワイヤレスネットワーク１５０は、ＩＥＥＥ８０２．１１規格に従って動作することができる。例示的な実施形態では、ワイヤレスネットワーク１５０は、８０２．１１高効率（high efficiency）ＷＬＡＮ（ＨＥＷ）ネットワークである。特定の実施形態では、ワイヤレスネットワーク１５０は、単一の、および／または複数のアクセス通信をサポートする。たとえば、ワイヤレスネットワーク１５０は、第１の送信元デバイス１０２から宛先デバイス１２２への第１のデータパケット１４０（たとえば、第１の波形）のアップリンク送信をサポートすることができる。別の例では、ワイヤレスネットワーク１５０は、複数の送信元デバイス（たとえば、第１の送信元デバイス１０２、および第２の送信元デバイス１１６）から宛先デバイス１２２への複数のデータパケット（たとえば、第１のデータパケット１４０、および第２のデータパケット１４２）のアップリンク送信をサポートすることができる。
【００２７】
[0033]  ワイヤレスネットワーク１５０は、シングルキャリア変調方式に従って、送信元デバイス１０２、１１６から宛先デバイス１２２へのアップリンク送信をサポートすることができる。たとえば、本明細書でさらに説明されるように、第１のデータパケット１４０および第２のデータパケット１４２は、シングルキャリア周波数分割多元接続（ＳＣ−ＦＤＭＡ）変調方式に従って送信され得る。また、ワイヤレスネットワーク１５０は、マルチキャリア変調方式に従って、宛先デバイス１２２から送信元デバイス１０２、１１６へのダウンリンク送信をサポートすることができる。たとえば、第３のデータパケット１４４は、マルチキャリア変調方式（たとえば、ＯＦＤＭ）に従って、宛先デバイス１２２から第１の送信元デバイス１０２に送信され得る。本明細書で用いられる場合、ワイヤレスネットワーク１５０は、ＩＥＥＥ８０２．１１ａ、８０２．１１ｎ、または８０２．１１ａｃ規格のうちの１つまたは複数に従って送信をサポートすることができる。
【００２８】
[0034]  例示的な実施形態では、第１のデータパケット１４０、および第２のデータパケット１４２は、アップリンク送信の例示である。たとえば、送信元デバイス１０２、１１６は、第１のデータパケット１４０と、第２のデータパケット１４２とを生成して送信するように構成されたモバイル電話であり得、宛先デバイス１２２は、送信元デバイス１０２、１１６から第１のデータパケット１４０と第２のデータパケット１４２とを受信するように構成されたアクセスポイント（ＡＰ：access point）または他のデバイス（たとえば、基本サービスセット（ＢＳＳ：basic service set）のコーディネータ）であり得る。第１の送信元デバイス１０２は、プロセッサ１０４（たとえば、中央処理装置（ＣＰＵ）、デジタル信号プロセッサ（ＤＳＰ）、ネットワーク処理ユニット（ＮＰＵ）等）と、メモリ１０６（たとえば、ランダムアクセスメモリ（ＲＡＭ）、読出し専用メモリ（ＲＯＭ）等）と、ワイヤレスネットワーク１５０を介してデータを送受信するように構成されたワイヤレスインターフェース１１０とを含む。特定の実施形態では、ワイヤレスインターフェース１１０は、送信前に第１のデータパケット１４０の構成要素を増幅するように構成された電力増幅器１１４を含むことができる。特定の実施形態では、電力増幅器１１４は、非線形電力増幅器（たとえば、クラス「Ｃ」電力増幅器、またはクラス「Ｅ」電力増幅器）であり得る。メモリ１０６は、第１のデータパケット１４０を生成するためにパケットジェネレータ１０８によって使用されるデータパケットパラメータ１１２（たとえば、副搬送波パラメータ、変調シンボルマッピングパラメータ等を含む、ＳＣ−ＦＤＭＡパラメータ）を記憶することができる。特定の実施形態では、パケットジェネレータ１０８は、単一のアクセスパケットと同様に複数のアクセスパケットを生成するように構成される。
【００２９】
[0035]  本明細書で用いられる場合、「副搬送波（sub-carrier）」は、データの通信のために変調され得る信号の周波数または周波数のセット（たとえば、周波数範囲）を表すことができる。副搬送波は、代替でトーン（tone）と呼ばれ得る。したがって、「副搬送波」は周波数ドメインユニットであり得、パケットは複数の副搬送波に及んでもよい。副搬送波とは対照的に、「シンボル（symbol）」は時間ドメインユニットであり得、パケットは複数のシンボルに及ぶ（たとえば、含む）ことができ、各シンボルは特定の期間を有する。したがって、ワイヤレスパケットは、図３に関して説明されるように、周波数範囲（たとえば、副搬送波）と時間期間（たとえば、シンボル）とに及ぶ２次元構造として視覚化され得る。
【００３０】
[0036]  例として、ワイヤレスデバイスは、２０メガヘルツ（ＭＨｚ）ワイヤレスチャネル（たとえば、２０ＭＨｚ周波数帯域を有するチャネル）を介してパケットを送信することができる。副搬送波のサブセットは「使用可能（useable）」と考えられ得、残りの副搬送波は「使用不能（unusable）」（たとえば、ガード副搬送波、直流（ＤＣ）副搬送波等であり得る）と考えられ得る。たとえば、５２個のデータ副搬送波と４個のパイロット副搬送波とを有する２０ＭＨｚワイヤレスチャネルのためのＳＣ−ＦＤＭＡ波形を生成するために、ワイヤレスデバイスは、時間ドメインデータを周波数ドメインデータに変換するために時間ドメイン上で５２ポイント離散フーリエ変換（ＤＦＴ：Discrete Fourier Transform）を適用（たとえば、実行）することができる。ワイヤレスデバイスは、周波数ドメインデータを５２個のデータ副搬送波にマッピングすることができる。ワイヤレスデバイスはまた、周波数ドメイン内に６４個の副搬送波を有するＳＣ−ＦＤＭＡ波形を生成するために、４個のパイロット副搬送波と、１個のＤＣ副搬送波と、７個のガード副搬送波とを、ＳＣ−ＦＤＭＡ波形に挿入することができる。上述のチャネル周波数帯域、変換、および副搬送波プランは、例である点に留意されたい。代替実施形態では、異なるチャネル周波数帯域（たとえば、４０ＭＨｚ、８０ＭＨｚ等）、異なる変換（たとえば、１０８ポイントＤＦＴ、２３４ポイントＤＦＴ等）、および／または異なる副搬送波プランが使用され得る。
【００３１】
[0037]  特定の実施形態では、データパケットパラメータ１１２は、データが送信されるための副搬送波割振り、変調シンボルマッピングパラメータ、および／またはコードレート（たとえば、バイナリ位相偏移変調（ＢＰＳＫ）レート、直交位相偏移変調（ＱＰＳＫ）レート等）を決定するために、第１のデータパケット１４０の生成中にパケットジェネレータ１０８によって使用され得る。第２の送信元デバイス１１６は、第１の送信元デバイス１０２と同様の構成要素を含むことができ、また第２の送信元デバイス１１６は、第２のデータパケット１４２を生成するために、第１の送信元デバイス１０２と実質的に同様の方法で動作することができる。
【００３２】
[0038]  パケットジェネレータ１０８は、データパケットパラメータ１１２を使用して、シングルキャリア変調方式に従ってワイヤレスネットワーク１５０を介して送信するために、第１のデータパケット１４０の少なくとも一部を生成することができる。図３に関して説明されるように、第１のデータパケット１４０のデータフィールド部分は、シングルキャリア変調方式に従って送信するために生成され得る。特定の実施形態では、シングルキャリア変調方式は、ＳＣ−ＦＤＭＡ変調方式に対応し得る。たとえば、パケットジェネレータ１０８は、第１の複数のデータシンボルに対応する変換係数（transform coefficient）を生成するために、第１のデータパケット１４０の第１の複数のデータシンボルに変換動作を実行することができる。
【００３３】
[0039]  特定の実施形態では、パケットジェネレータ１０８は、第１の複数のデータシンボルに対応する第１のＤＦＴ係数を生成するために、第１の複数のデータシンボルにＤＦＴ動作を実行することができる。たとえば、パケットジェネレータ１０８は、第１の複数のデータシンボルを、時間ドメインデータシンボルから周波数ドメインデータシンボルに変換することができる。第１のＤＦＴ係数に関連付けられる第１の副搬送波は、シンボル期間のほんの一部（たとえば、１／Ｎ）にわたって各周波数ドメインデータシンボルを搬送することができる。たとえば、各周波数ドメインシンボルは、ＳＣ−ＦＤＭＡ変調を達成するために、第１の副搬送波を介して、増加した送信レート（たとえば、送信レートのＮ倍）で連続して送信され得る。
【００３４】
[0040]  実質的に同様の方法で、１つまたは複数の追加の送信元デバイスはまた、シングルキャリア変調方式（たとえば、ＳＣ−ＦＤＭＡ変調方式）に従ってワイヤレスネットワーク１５０を介して送信するための１つまたは複数の追加のデータパケットを生成することができる。例示的な実施形態では、第２の送信元デバイス１１６は、第２の複数のデータシンボルに対応する第２のＤＦＴ係数を生成するために、第２のデータパケット１４２の第２の複数のデータシンボルにＤＦＴ動作を実行することができる。第２のＤＦＴ係数に関連付けられる第２の副搬送波は、ＳＣ−ＦＤＭＡ変調を達成するために、増加した送信レートで各周波数ドメインデータシンボルを連続して搬送することができる。
【００３５】
[0041]  ワイヤレスインターフェース１１０は、ワイヤレスネットワーク１５０を介して第１のデータパケット１４０を宛先デバイス１２２に送信することができ、第２の送信元デバイス１１６は、ワイヤレスネットワーク１５０を介して第２のデータパケット１４２を宛先デバイス１２２に送信することができる。第１のデータパケット１４０の少なくとも一部は第１の副搬送波を介して送信され得、第２のデータパケット１４２の少なくとも一部は第２の副搬送波を介して送信され得る。
【００３６】
[0042]  特定の実施形態では、第１の送信元デバイス１０２からの送信（たとえば、第１のデータパケット１４０）は、特定の（連続する）周波数帯域内で局所化され得、第２の送信元デバイス１１６からの送信（たとえば、第２のデータパケット１４２）は、特定の周波数帯域と重複（overlap）しない他の周波数帯域内で局所化（localize）され得る。たとえば、図２を参照すると、シングルキャリア変調方式で使用される副搬送波マッピングの特定の例示的な実施形態が示されている。図１の第１の送信元デバイス１０２からの送信（たとえば、第１のデータパケット１４０）は、無地（白）パターンに関して言及されており、図１の第２の送信元デバイス１１６からの送信（たとえば、第２のデータパケット１４２）は、縞模様に関して言及されている。
【００３７】
[0043]  局所化モードでは、第１の送信元デバイス１０２からの送信は、第１の周波数帯域内で局所化され得る。たとえば、第１の周波数帯域は、第１の副搬送波２０２（たとえば、ＳＣ−ＦＤＭＡ変調方式に従って、第１の複数のデータシンボルを送信するために使用される、図１の第１の副搬送波）と、第３の副搬送波２０４（たとえば、第１の送信元デバイス１０２からデータを送信するために使用される別の副搬送波）とを含むことができる。第２の送信元デバイス１１６からの送信は、第２の周波数帯域内で局所化され得る。たとえば、第２の周波数帯域は、第２の副搬送波２０６（たとえば、ＳＣ−ＦＤＭＡ変調方式に従って、第２の複数のデータシンボルを送信するために使用される、図１の第２の副搬送波）と、第４の副搬送波２０８（たとえば、第２の送信元デバイス１１６からデータを送信するために使用される別の副搬送波）とを含むことができる。第１および第２の周波数帯域は、連続的な非重複周波数帯域（continuous non-overlapping frequency bands）であり得る。
【００３８】
[0044]  連続的な周波数帯域（たとえば、第１の周波数帯域）内の第１の送信元デバイス１０２からの送信を局所化すること、および非重複連続的周波数帯域（たとえば、第２の周波数帯域）内の第２の送信元デバイス１１６からの送信を局所化することは、図１のシステム１００のスループットを改善することができる。たとえば、局所化モード（localized mode）は、第１の周波数帯域が第１の送信元デバイス１０２に割り当てられ、第２の周波数帯域が第２の送信元デバイス１１６に割り当てられることを可能にすることができる。
【００３９】
[0045]  別の特定の実施形態では、第１の送信元デバイス１０２からの送信、および第２の送信元デバイス１１６からの送信が分散され得る。たとえば、図２に示される分散モード（distributed mode）は、第１の送信元デバイス１０２からの送信、および第２の送信元デバイス１１６からの送信が、非連続副搬送波で分散（インタリーブ（interleave））され得ることを示している。利用可能な帯域幅を介して第１の送信元デバイス１０２および第２の送信元デバイス１１６からの送信をインタリーブすることは、ゼロ振幅（zero amplitude）を有する未使用の副搬送波をもたらし得る。
【００４０】
[0046]  副搬送波をインタリーブすることは、局所化モードと比較して、送信のピーク対平均電力比（ＰＡＰＲ）を改善（たとえば、低減）することができる。たとえば、不在パルス形状フィルタリング（absent pulse shape filtering）、副搬送波をインタリーブすることは、副搬送波を局所化することと比較して、ＰＡＰＲを低減することができる。非限定的な例として、ＱＰＳＫを使用するインタリーブＳＣ−ＦＤＭＡ変調方式のＰＡＰＲは、直交周波数分割多重（ＯＦＤＭ）変調方式のＰＡＰＲよりも約１０デシベル（ｄＢ）低く、ＱＰＳＫを使用する局所型ＳＣ−ＦＤＭＡ変調方式のＰＡＰＲは、ＯＦＤＭ変調方式のＰＡＰＲよりも約３ｄＢ低い。１６直交振幅変調（ＱＡＭ）を使用して、インタリーブＳＣ−ＦＤＭＡ変調方式、および局所型ＳＣ−ＦＤＭＡ変調方式のＰＡＰＲは、それぞれＯＦＤＭ変調方式のＰＡＰＲよりも約７ｄＢおよび２ｄＢ低い。
【００４１】
[0047]  第１のデータパケット１４０を生成する際、図１のパケットジェネレータ１０８は、第１のデータパケット１４０がアップリンク送信中にシングルキャリア変調方式を利用していることを示すためにプリアンブルを生成することができる。たとえば、各データパケット１４０、１４２は、アップリンク送信がシングルキャリア変調方式（たとえば、ＳＣ−ＦＤＭＡ変調方式）を利用していることを示すためにプリアンブルを含むことができる。図３を参照すると、シングルキャリア変調方式に従って生成されるデータパケットの特定の例示的な実施形態３００、３５０が示されている。第１の実施形態３００は混合モード（ＭＭ：mixed-mode）アップリンクデータパケットフォーマットに対応することができ、第２の実施形態３５０はグリーンフィールド（ＧＦ：green field）アップリンクデータパケットフォーマットに対応することができる。各実施形態３００、３５０は、複数のユーザ（たとえば、ユーザ１およびユーザ２）からの送信データを含むことができる。特定の実施形態では、ユーザ１は図１の第１の送信元デバイス１０２に関連付けられ得、ユーザ２は図１の第２の送信元デバイス１１６に関連付けられ得る。
【００４２】
[0048]  第１の実施形態３００は、レガシープリアンブル（legacy preamble）を含む。たとえば、第１の実施形態３００は、第１のレガシーショートトレーニングフィールド（Ｌ−ＳＴＦ：legacy short training field）３１０と、第１のレガシーロングトレーニングフィールド（Ｌ−ＬＴＦ：legacy long training field）３１２と、第１のレガシー信号フィールド（Ｌ−ＳＩＧ：legacy signal field）３１４とを含むことができる。第１のＬ−ＳＴＦ３１０、第１のＬ−ＬＴＦ３１２、および第１のＬ−ＳＩＧ３１４は、ユーザ１に関連付けられ得る。さらに、第１の実施形態３００は、第２のＬ−ＳＴＦ３３０と、第２のＬ−ＬＴＦ３３２と、第２のＬ−ＳＩＧ３３４とを含む。第２のＬ−ＳＴＦ３３０、第２のＬ−ＬＴＦ３３２、および第２のＬ−ＳＩＧ３１２は、ユーザ２に関連付けられ得る。レガシープリアンブルは、宛先デバイス（たとえば、図１の宛先デバイス１２２）に、第１の実施形態３００の少なくとも一部はＳＣ−ＦＤＭＡモードに従って送信されることを示すことができる。たとえば、ＳＣ−ＦＤＭＡモード表示は、Ｌ−ＳＴＦ３１０、３３０、Ｌ−ＬＴＦ３１２、３３２、および／またはＬ−ＳＩＧ３１４、３３４内のＳＣ−ＦＤＭＡモード表示をポピュレートすることによってレガシープリアンブルを介して送信され得る。あるいは、ＳＣ−ＦＤＭＡモード表示は、先行する「トリガ（trigger）」フレームによって送信され得る。たとえば、トリガフレーム（たとえば、データパケット）は、第１の実施形態３００によって示されるデータパケットの前に、宛先デバイス１２２に送信され得る。トリガフレームは、第１の実施形態３００によって示されるデータパケットの少なくとも一部がＳＣ−ＦＤＭＡモードに従って送信されることを示すために、ＳＣ−ＦＤＭＡモード表示を含むことができる。レガシープリアンブルは、ワイヤレスネットワーク（たとえば、図１のワイヤレスネットワーク１５０）にアクセスしている追加の送信元デバイスが、データパケット（たとえば、第１の実施形態３００によって示されるデータパケット）に関連付けられる搬送周波数上で送信することを防止するために、ＯＦＤＭ変調方式に従って送信され得る。
【００４３】
[0049]  第１の実施形態３００はまた、高効率（ＨＥ：high efficiency）プリアンブルを含む。たとえば、第１の実施形態３００は、第１のＨＥショートトレーニングフィールド（ＨＥ−ＳＴＦ）３１６と、第１のＨＥロングトレーニングフィールド（ＨＥ−ＬＴＦ１）３１８と、Ｎ番目のＨＥロングトレーニングフィールド（ＨＥ−ＬＴＦｎ）３２０と、第１のＨＥ信号フィールド（ＨＥ−ＳＩＧ）３２２とを含むことができる。第１のＨＥ−ＳＴＦ３１６、第１のＨＥ−ＬＴＦ１  ３１８、Ｎ番目のＨＥ−ＬＴＦｎ３２０、および第１のＨＥ−ＳＩＧ３２２は、ユーザ１に関連付けられ得る。さらに、ユーザ２は、ＨＥプリアンブルデータ（たとえば、ＨＥ−ＳＴＦ３３６、ＨＥ−ＬＴＦ１  ３３８、ＨＥ−ＬＴＦｎ３４０、ＨＥ−ＳＩＧ３４２）を送信することができる。ＨＥプリアンブルデータは、レガシープリアンブル内のＳＣ−ＦＤＭＡモード表示によって示されるＳＣ−ＦＤＭＡモードに従って送信され得る。第１の実施形態３００がＨＥ信号フィールド（ＨＥ−ＳＩＧ）３２２、３４２を含むが、他の実施形態では、データパケットはＨＥ信号フィールド（ＨＥ−ＳＩＧ）３２２、３４２を含むことができない。特定の実施形態では、データパケットは、レガシー信号フィールド（Ｌ−ＳＩＧ）３１４、３３４と、ＨＥショートトレーニングフィールド（ＨＥ−ＳＴＦ）３１６、３３６との間にＨＥ−ＳＩＧシンボルを含むことができる。ＨＥ−ＳＩＧシンボルは、ＨＥＷデバイスに、パケットが８０２．１１ａパケットか、または８０２．１１ａｃパケットか（たとえば、堅牢な分類（robust classification））を示すことができる。ＨＥ−ＳＩＧシンボルはまた、パケットがアップリンクパケットか、および／または媒体再利用のためにパケットに関連付けられるＢＳＳかどうかを示すことができる。
【００４４】
[0050]  第１の実施形態３００はまた、第１のデータフィールド３２４と、第２のデータフィールド３４４とを含むことができる。第１のデータフィールド３２４は、ユーザ１に関連付けられるアップリンクデータシンボルに対応することができ、第２のデータフィールド３４４は、ユーザ２に関連付けられるアップリンクデータシンボルに対応することができる。図１に関して説明されるように、第１のデータフィールド３２４および第２のデータフィールド３４４内のデータシンボルは、ＳＣ−ＦＤＭＡ変調方式に従って送信され得る。
【００４５】
[0051]  第２の実施形態３５０は、高効率（ＨＥ）プリアンブルを含む。たとえば、第２の実施形態３５０は、第１のＨＥ−ＳＴＦ３６６と、第１のＨＥ−ＬＴＦ１  ３６８と、Ｎ番目のＨＥ−ＬＴＦｎ３７０と、第１のＨＥ−ＳＩＧ３７２とを含むことができる。第１のＨＥ−ＳＴＦ３６６、第１のＨＥ−ＬＴＦ１  ３６８、Ｎ番目のＨＥ−ＬＴＦｎ３７０、および第１のＨＥ−ＳＩＧ３７２は、ユーザ１に関連付けられ得る。さらに、ユーザ２は、ＨＥプリアンブルデータ（たとえば、ＨＥ−ＳＴＦ３８６、ＨＥ−ＬＴＦ１  ３８８、ＨＥ−ＬＴＦｎ３９０、ＨＥ−ＳＩＧ３９２）を送信することができる。ＨＥプリアンブルデータは、ＳＣ−ＦＤＭＡモードに従って送信され得る。あるいは、トリガフレーム（たとえば、データパケット）は、第２の実施形態３５０によって示されるデータパケットの前に送信され得る。トリガフレームは、第２の実施形態３５０によって示されるデータパケットの少なくとも一部がＳＣ−ＦＤＭＡモードに従って送信されることを示すために、ＳＣ−ＦＤＭＡモード表示を含むことができる。
【００４６】
[0052]  第２の実施形態３５０はまた、第１のデータフィールド３７４と第２のデータフィールド３９４とを含むことができる。第１のデータフィールド３７４は、ユーザ１に関連付けられるアップリンクデータシンボルに対応することができ、第２のデータフィールド３９４は、ユーザ２に関連付けられるアップリンクデータシンボルに対応することができる。図１に関して説明されるように、第１のデータフィールド３７４および第２のデータフィールド３９４内のデータシンボルは、ＳＣ−ＦＤＭＡ変調方式に従って送信され得る。
【００４７】
[0053]  ＭＭアップリンクデータパケットフォーマット（たとえば、第１の実施形態３００）は、シングルキャリア変調方式と互換性のない他の送信元デバイス（たとえば、レガシーデバイス）が、第１の送信元デバイス１０２および第２の送信元デバイス１１６によって特定のチャネル（たとえば、２０ＭＨｚチャネル、４０ＭＨｚチャネル、８０ＭＨｚチャネル等）が利用されていることを識別して、特定の期間（たとえば、データパケットの期間）にわたって特定のチャネル上の送信を遅延させることを可能にするために、レガシープリアンブル（たとえば、ＯＦＤＭ変調方式に従って送信されるプリアンブル）を含むことができる。ＧＦアップリンクデータパケットフォーマット（たとえば、第２の実施形態３５０）は、他の送信元デバイスがシングルキャリア変調方式と互換可能であり、ＨＥプリアンブルを容易に理解する（すなわち、検出して処理することができる）時に使用され得る。
【００４８】
[0054]  再び図１を参照すると、宛先デバイス１２２は、第２のプロセッサ１２４と、第２のメモリ１２６と、第２のワイヤレスインターフェース１３０とを含むことができる。第２のワイヤレスインターフェース１３０は、第１のデータパケット１４０と第２のデータパケット１４２とを、それぞれ第１の送信元デバイス１０２および第２の送信元デバイス１１６から受信するように動作可能であり得る。たとえば、第２のワイヤレスインターフェース１３０は、ワイヤレスネットワーク１５０を介してデータパケット１４０、１４２を受信するように動作可能であり得る。図４に関して説明されるように、宛先デバイス１２２は、シングルキャリア変調方式に従ってデータパケット１４０、１４２を処理するように動作可能であり得る。
【００４９】
[0055]  図１のシステム１００は、シングルキャリア変調方式（たとえば、ＳＣ−ＦＤＭＡ変調方式）に従って、第１の送信元デバイス１１２および第２の送信元デバイス１１６で、それぞれ第１のデータパケット１４０と第２のデータパケット１４２とを送信することによって、アップリンク送信のための電力消費を低減して、電池寿命を改善することができる。たとえば、ＳＣ−ＦＤＭＡアップリンク送信におけるシンボルはＤＦＴ動作を使用して事前処理されるので、ＳＣ−ＦＤＭＡアップリンク送信は、直交周波数分割多元接続（ＯＦＤＭＡ）およびＯＦＤＭアップリンク送信と比較してＰＡＰＲを低減した可能性がある。
【００５０】
[0056]  システム１００に関して説明されるように、シングルキャリア変調方式を使用するアップリンク送信は、電力増幅器１１４への設計制約を軽減することもできる。より低いＰＡＰＲは、ワイヤレスインターフェース１１０（たとえば、送信機）で電力増幅器１１４の効率を改善することができる。たとえば、電力増幅器１１４が飽和状態で動作する場合、電力効率は比較的高い。より低いＰＡＰＲは飽和状態に近い電力増幅器１１４の動作を可能にするが、より高いＰＡＰＲは電力増幅器１１４の動作ポイントをより低い信号歪みに「バックオフ（backed off）」する必要がある場合があり、それによって効率が低下する。シングルキャリア信号は、線形増幅器に関連付けられる歪みと比較して低減された歪みで、非線形電力増幅器（たとえば、クラス「Ｃ」電力増幅器、またはクラス「Ｅ」電力増幅器）によって増幅され得る。非線形電力増幅器は、直流（ＤＣ）電力消費の点で線形電力増幅器よりも効率的であり得る。たとえば、非線形電力増幅器は、所与の出力のための電力消費を低減した可能性があり、電池寿命の増加をもたらし得る。非限定的な例として、ＯＦＤＭ方式を使用することとは対照的に、シングルキャリア変調方式を使用してデータパケット１４０、１４２を宛先デバイス１２２に送信することは、送信元デバイス１０２、１１６での電力消費を最大４８パーセント低減することができる。
【００５１】
[0057]  図４を参照すると、シングルキャリア変調方式による送信元デバイス４０１および宛先デバイス４２１の特定の実施形態が示されている。送信元デバイス４０１は、図１の第１の送信元デバイス１０２、または図１の第２の送信元デバイス１１６に対応することができる。宛先デバイス４２１は、図１の宛先デバイス１２２に対応することができる。送信元デバイス４０１は、変調シンボルマッピングモジュール４０２と、第１の変換モジュール４０４と、副搬送波マッピングモジュール４０６と、第１の逆変換モジュール４０８と、サイクリックプレフィックスモジュール（cyclic prefix module）４１０と、パラレル−シリアル（Ｐ／Ｓ）変換器およびデジタル−アナログ変換器（ＤＡＣ）モジュール４１２と、無線周波数（ＲＦ）変調モジュール４１４とを含むことができる。
【００５２】
[0058]  変調シンボルマッピングモジュール４０２は、データシンボル（たとえば、入力バイナリビット）を、変調フォーマットに対応する複素数のセットに変換するように構成され得る。たとえば、複素数は、バイナリ位相偏移変調（ＢＰＳＫ）フォーマット、４位相偏移変調（ＱＰＳＫ）フォーマット、１６直交振幅変調（ＱＡＭ）フォーマット、６４−ＱＡＭフォーマット、またはそれらの任意の組合せに対応することができる。変調フォーマットは、信号対ノイズレベル、および受信機（たとえば、図１の宛先デバイス１２２）の復号機能に基づくことができる。複素数のセットは、第１の変換モジュール４０４に提供され得る。
【００５３】
[0059]  第１の変換モジュール４０４は、複素数のセットを、Ｎ個のデータシンボルのブロックにグループ化することができ、Ｎは、２０ＭＨｚのＳＣ−ＦＤＭＡ波形の場合は５２と、４０ＭＨｚのＳＣ−ＦＤＭＡ波形の場合は１０８と、または８０ＭＨｚのＳＣ−ＦＤＭＡ波形の場合は２３４と等しい。第１の変換モジュール４０４は、信号を時間ドメインから周波数ドメインに変換するために、データシンボルにＮポイント変換動作を実行するように構成され得る。たとえば、第１の変換モジュール４０４は、２０ＭＨｚのＳＣ−ＦＤＭＡ波形の場合は５２ポイント変換動作を、４０ＭＨｚのＳＣ−ＦＤＭＡ波形の場合は１０８ポイント変換動作を、８０ＭＨｚのＳＣ−ＦＤＭＡ波形の場合は２３４ポイント変換動作を実行すること等ができる。特定の実施形態では、第１の変換モジュール４０４はＤＦＴ変換モジュールであり得、データシンボルを時間ドメインから周波数ドメインに変換するために、シンボルにＮポイントＤＦＴ変換動作を実行することができる。周波数ドメインデータシンボルは、副搬送波マッピングモジュール４０６に提供され得る。
【００５４】
[0060]  副搬送波マッピングモジュール４０６は、周波数ドメインデータシンボルをＮ個の副搬送波のサブセットにマッピングするように構成され得る。副搬送波マッピングモジュール４０６は、ＤＦＴ複素数（たとえば、周波数ドメインシンボル）を選択された副搬送波（たとえば、Ｎ個の副搬送波）の振幅として割り当てることができる。ＳＣ−ＦＤＭＡ波形はまた、パイロット副搬送波と、ＤＣ副搬送波と、ガード副搬送波とを含むことができる。たとえば、ＳＣ−ＦＤＭＡ波形は、合計Ｍ個の副搬送波を含むことができ、Ｍ＞Ｎである。特定の実施形態では、ＳＣ−ＦＤＭＡ波形は、６４個の副搬送波（たとえば、Ｍ＝６４）を有する２０ＭＨｚ波形であり得る。この特定の実施形態では、５２個の副搬送波は周波数ドメインデータシンボルを搬送するであり得、（たとえば、Ｎ＝５２）、４個の副搬送波はパイロット副搬送波であり得、１個の副搬送波はＤＣ副搬送波であり得、７個の副搬送波はガード副搬送波であり得る。図２に関して説明されるように、副搬送波マッピングモジュール４０６は、分散モードに従って、または局所化モードに従って、周波数ドメインシンボルをマッピングすることができる。第１の逆変換モジュール４０８は、Ｍ個の副搬送波の時間ドメインサンプルを生成するために、Ｍ個の副搬送波にＭポイント逆変換動作を実行することができる。たとえば、第１の逆変換モジュール４０８は、Ｍ個の副搬送波の時間ドメインサンプルを生成するために、Ｍ個の副搬送波に逆ＤＦＴ（ＩＤＦＴ）変換動作を実行することができる。時間ドメインサンプルは、サイクリックプレフィックスモジュール４１０に提供され得る。
【００５５】
[0061]  サイクリックプレフィックスモジュール４１０は、サイクリックプレフィックスを生成するために、時間ドメインサンプルの一部を複製するように構成され得る。サイクリックプレフィックスの長さはチャネル遅延スプレッド（channel delay spread）に基づくことができ、チャネル応答の長さよりも長くなり得る。Ｐ／Ｓ変換器およびＤＡＣモジュール４１２は、時間ドメインサンプルを直列化して、直列化された時間ドメインサンプルをデジタルドメインからアナログドメイン（たとえば、アナログ信号）に変換するように構成され得る。ＲＦ変調モジュール４１４は、アナログ信号を無線周波数に変調するように構成され得る。たとえば、ＲＦ変調モジュール４１４は、図１の第１のデータパケット１４０を出力することができる。特定の実施形態では、各モジュール４０２〜４１４は、図１のプロセッサ１０４、図１のパケットジェネレータ１０８、またはそれらの任意の組合せによって実行可能な命令を含むことができる。別の特定の実施形態では、各モジュール４０２〜４１４は、専用または共用ハードウェア（たとえば、回路）、機能を実行するように動作可能であるプロセッサ、またはそれらの組合せを含むことができる。
【００５６】
[0062]  宛先デバイス４２１は、パケットジェネレータ１０８（たとえば、送信機）の逆動作を逆の順序で実行するように構成され得る。たとえば、宛先デバイス４２１は、ＲＦ復調モジュール４１６と、アナログ−デジタル変換器（ＡＤＣ）およびシリアル−パラレル（Ｓ／Ｐ）変換器モジュール４１８と、サイクリックプレフィックス除去モジュール４２０と、第２の変換モジュール４２２と、副搬送波デマッピングモジュール４２４と、イコライザ４２６と、検出器４２８とを含むことができる。
【００５７】
[0063]  ＲＦ復調モジュール４１６は、ＲＦ変調モジュール４１４の出力を受信する（たとえば、第１のデータパケット１４０を受信する）ことができ、また無線周波数信号をベースバンド周波数に復調するように構成され得る。ＡＤＣおよびＳ／Ｐ変換器モジュール４１８は、ベースバンド信号をアナログドメインからデジタルドメインに変換して、ベースバンド信号を並列化するように構成され得る。サイクリックプレフィックス除去モジュール４２０は、サイクリックプレフィックスモジュール４１０によって生成されたサイクリックプレフィックスを除去するように構成され得る。第２の変換モジュール４２２は、信号を時間ドメインから周波数ドメインに変換するために、残りの時間ドメインシンボルにＮポイント変換動作を実行するように構成され得る。たとえば、第２の変換モジュール４２２は、６４ポイント変換動作、２５６ポイント変換動作、１０２４ポイント変換動作等を実行することができる。特定の実施形態では、第２の変換モジュール４２２はＤＦＴ変換モジュールであり得、シンボルを時間ドメインから周波数ドメインに変換するために、シンボルにＮポイントＤＦＴ変換動作を実行することができる。周波数ドメインシンボルは、副搬送波デマッピングモジュール４２４に提供され得る。副搬送波デマッピングモジュール４２４は、周波数ドメインシンボル（たとえば、ＤＦＴ複素数値）を、選択された副搬送波の振幅および位相として割り当てるように構成され得る。イコライザ４２６は振幅に等化動作を実行するように構成され得、検出器４２８はデータシンボルを検出するように構成され得る。
【００５８】
[0064]  図５を参照すると、シングルキャリア変調方式を使用して、ＩＥＥＥ８０２．１１ワイヤレスネットワークを介してデータを通信するための方法５００、５１０の特定の実施形態が示されている。第１の方法５００は、図１の第１の送信元デバイス１０２、図１の第２の送信元デバイス１１６、図４の送信元デバイス４０１、またはそれらの任意の組合せを使用して実行され得る。第２の方法５１０は、図１の宛先デバイス１２２、図４の宛先デバイス４２１、またはそれらの任意の組合せを使用して実行され得る。
【００５９】
[0065]  第１の方法５００は、５０２で、送信元デバイスにおいて、ＩＥＥＥ８０２．１１ワイヤレスネットワークを介して送信するためのデータパケットを生成することを含む。たとえば、図１で、第１の送信元デバイス１０２は、ワイヤレスネットワーク１５０を介して送信するための第１のデータパケット１４０を生成することができる。第１のデータパケット１４０は、図４の送信元デバイス４０１に関して説明されるものと同様の方法で生成され得る。５０４で、データパケットの少なくとも一部は、ＳＣ−ＦＤＭＡ変調方式に従って宛先デバイスに送信され得る。たとえば、図１で、第１の送信元デバイス１０２は、ＳＣ−ＦＤＭＡ変調方式に従って第１のデータパケット１４０のデータフィールド部分（たとえば、図３のデータフィールド３４０）を送信することができる。
【００６０】
[0066]  第２の方法５１０は、５１２で、宛先デバイスにおいて、ＳＣ−ＦＤＭＡ変調方式に従って送信元デバイスからデータパケットの少なくとも一部を受信することを含む。たとえば、図１で、宛先デバイス１２２は、ＳＣ−ＦＤＭＡ変調方式に従って第１の送信元デバイス１０２から第１のデータパケット１４０のデータフィールド部分（たとえば、図３のデータフィールド３４０）を受信することができる。第１のデータパケット１４０は、ワイヤレスネットワーク１５０（たとえば、ＩＥＥＥワイヤレスネットワーク）で受信され得る。５１４で、データパケットが処理され得る。たとえば、図１で、宛先デバイス１２２は第１のデータパケット１４０を処理することができる。特定の実施形態では、宛先デバイス１２２は、図４の宛先デバイス４２１に関して説明されるものと同様の方法で第１のデータパケット１４０を処理することができる。
【００６１】
[0067]  図５の方法５００、５１０は、シングルキャリア変調方式（たとえば、ＳＣ−ＦＤＭＡ変調方式）に従ってデータパケットを送信することによって、クライアントデバイスにおいて、アップリンク送信のための電力消費を低減して、電池寿命を改善することができる。たとえば、ＳＣ−ＦＤＭＡアップリンク送信におけるシンボルはＤＦＴ動作を使用して事前処理されるので、ＳＣ−ＦＤＭＡアップリンク送信は、ＯＦＤＭＡおよびＯＦＤＭアップリンク送信と比較してＰＡＰＲを低減した可能性がある。図５の方法５００、５１０に関して説明されるように、シングルキャリア変調方式を使用するアップリンク送信は、図１の電力増幅器１１４などの電力増幅器への設計制約を軽減することもできる。
【００６２】
[0068]  図６を参照すると、シングルキャリア変調方式を使用して、ＩＥＥＥ  ８０２．１１ワイヤレスネットワークを介してデータを通信するための方法６００、６１０の他の特定の実施形態が示されている。第１の方法６００は、図１の第１の送信元デバイス１０２、図１の第２の送信元デバイス１１６、図４の送信元デバイス４０１、またはそれらの任意の組合せを使用して実行され得る。第２の方法６１０は、図１の宛先デバイス１２２、図４の宛先デバイス４２１、またはそれらの任意の組合せを使用して実行され得る。
【００６３】
[0069]  第１の方法６００は、６０２で、送信元デバイスにおいて、ＩＥＥＥ８０２．１１ワイヤレスネットワークを介してアップリンク送信するためのデータパケットを生成することを含む。たとえば、図１で、第１の送信元デバイス１０２は、ワイヤレスネットワーク１５０を介してアップリンク送信するための第１のデータパケット１４０を生成することができる。第１のデータパケット１４０は、図４の送信元デバイス４０１に関して説明されるものと同様の方法で生成され得る。６０４で、データパケットの少なくとも一部はシングルキャリア変調方式に従って宛先デバイスに送信され得る。たとえば、図１で、第１の送信元デバイス１０２は、シングルキャリア変調方式に従って第１のデータパケット１４０のデータフィールド部分（たとえば、図３のデータフィールド３４０）を送信することができる。宛先デバイス１２２からのダウンリンク送信は、マルチキャリア変調方式に従って、ワイヤレスネットワークを介して受信され得る。たとえば、第３のデータパケット１４４は、ＯＦＤＭなどのマルチキャリア変調方式に従って、宛先デバイス１２２から第１の送信元デバイス１０２に送信され得る。
【００６４】
[0070]  第２の方法６１０は、６１２で、宛先デバイスにおいて、送信元デバイスからアップリンク送信を受信することを含む。たとえば、図１で、宛先デバイス１２２は、第１の送信元デバイス１０２から第１のデータパケット１４０を受信することができる。第１のデータパケット１４０の少なくとも一部（たとえば、図３のデータフィールド３４０）は、シングルキャリア変調方式に従って受信され得る。第１のデータパケット１４０は、ワイヤレスネットワーク１５０（たとえば、ＩＥＥＥワイヤレスネットワーク）で受信され得る。６１４で、データパケットが処理され得る。たとえば、図１で、宛先デバイス１２２は第１のデータパケット１４０を処理することができる。特定の実施形態では、宛先デバイス１２２は、図４の宛先デバイス４２１に関して説明されるものと同様の方法で第１のデータパケット１４０を処理することができる。宛先デバイス１２２からのダウンリンク送信は、マルチキャリア変調方式に従って、ワイヤレスネットワークを介して送信され得る。たとえば、第３のデータパケット１４４は、マルチキャリア変調方式（たとえば、ＯＦＤＭ）に従って、宛先デバイス１２２から第１の送信元デバイス１０２に送信され得る。
【００６５】
[0071]  図６の方法６００、６１０は、シングルキャリア変調方式（たとえば、ＳＣ−ＦＤＭＡ変調方式）に従ってデータパケットを送信することによって、クライアントデバイスにおいて、アップリンク送信のための電力消費を低減して、電池寿命を改善することができる。たとえば、ＳＣ−ＦＤＭＡアップリンク送信におけるシンボルはＤＦＴ動作を使用して事前処理されるので、ＳＣ−ＦＤＭＡアップリンク送信は、ＯＦＤＭＡおよびＯＦＤＭアップリンク送信と比較してＰＡＰＲを低減した可能性がある。図６の方法６００、６１０に関して説明されるように、シングルキャリア変調方式を使用するアップリンク送信は、図１の電力増幅器１１４などの電力増幅器への設計制約を軽減することもできる。
【００６６】
[0072]  図７を参照すると、ワイヤレス通信デバイスの特定の例示的な実施形態のブロック図が示され、一般的に７００を指定している。デバイス７００は、メモリ７３２に結合されたデジタル信号プロセッサなどのプロセッサ７１０を含む。例示的な実施形態では、デバイス７００は図１の第１の送信元デバイス１０２、図１の第２の送信元デバイス１１６、図１の宛先デバイス１２２、図４の送信元デバイス４０１、または図４の宛先デバイス４２１であり得る。
【００６７】
[0073]  プロセッサ７１０は、メモリ７３２に記憶されたソフトウェア７６０（たとえば、１つまたは複数の命令のプログラム）を実行するように構成され得る。さらに、または代替で、本明細書でさらに説明されるように、プロセッサ７１０は、ワイヤレスインターフェース７４０（たとえば、ＩＥＥＥ８０２．１１ワイヤレスインターフェース）のメモリ７８０に記憶された１つまたは複数の命令を実装するように構成され得る。特定の実施形態では、プロセッサ７１０は、図５〜図６の方法５００、５１０、６００、６１０のうちの１つまたは複数に従って動作するように構成され得る。特定の実施形態では、プロセッサ７１０は図１のプロセッサ１０４または１２４に対応することができ、メモリ７３２は図１のメモリ１０６または１２６に対応することができる。
【００６８】
[0074]  アンテナ７４２およびワイヤレスインターフェース７４０を介して受信されたワイヤレスデータがプロセッサ７１０に提供され得るように、ワイヤレスインターフェース７４０はプロセッサ７１０とアンテナ７４２とに結合され得る。たとえば、ワイヤレスインターフェース７４０は、図１のワイヤレスインターフェース１１０、１３０を含むか、またはそれに対応することができる。ワイヤレスインターフェース７４０は、メモリ７８０とコントローラ７７２とを含むことができる。メモリ７８０は、データパケットパラメータ７８２（たとえば、図１のデータパケットパラメータ１１２）を含むことができる。特定の実施形態では、ワイヤレスインターフェース７４０はまた、それぞれアップリンク通信およびダウンリンク通信のための、変調器７８６と復調器７８８とを含むことができ、図４のモジュール４０２〜４１４のうちの１つもしくは複数、図４のモジュール４１６〜４２８のうちの１つもしくは複数、またはそれらの任意の組合せを含むことができる。
【００６９】
[0075]  コントローラ７７２は、メモリ７８０に記憶された１つまたは複数の命令を実行するために、プロセッサ７１０とインターフェースするように構成され得る。コントローラ７７２はまた、変調器７８６および／または復調器７８８を実行するために、プロセッサ７１０とインターフェースするように構成され得る。さらに、または代替で、コントローラ７７２は、メモリ７８０に記憶された命令のうちの１つまたは複数を実行するように構成されたプロセッサを含むことができる。
【００７０】
[0076]  符号器／復号器（ＣＯＤＥＣ）７３４もまた、プロセッサ７１０に結合され得る。スピーカー７３６およびマイクロホン７３８はＣＯＤＥＣ７３４に結合され得る。ディスプレイコントローラ７２６は、プロセッサ７１０とディスプレイ７２８とに結合され得る。特定の実施形態では、プロセッサ７１０、ディスプレイコントローラ７２６、メモリ７３２、ＣＯＤＥＣ７３４、およびワイヤレスインターフェース７４０は、システムインパッケージまたはシステムオンチップデバイス７２２に含まれる。特定の実施形態では、入力デバイス７３０および電源７４４がシステムオンチップデバイス７２２に結合される。さらに、特定の実施形態では、図７に示されるように、ディスプレイデバイス７２８、入力デバイス７３０、スピーカー７３６、マイクロホン７３８、アンテナ７４２、および電源７４４は、システムオンチップデバイス７２２の外部にある。しかしながら、ディスプレイデバイス７２８、入力デバイス７３０、スピーカー７３６、マイクロホン７３８、アンテナ７４２、および電源７４４の各々は、１つまたは複数のインターフェースまたはコントローラなどのシステムオンチップデバイス７２２の１つまたは複数の構成要素に結合され得る。
【００７１】
[0077]  説明した実施形態に関連して、第１の装置は、ＩＥＥＥ８０２．１１ワイヤレスネットワークを介して送信するためのデータパケットを生成するための手段を含む。たとえば、データパケットを生成するための手段は、図１の第１の送信元デバイス１０２、図１のプロセッサ１０４、図１のメモリ１０６、図１のパケットジェネレータ１０８、図１のワイヤレスインターフェース１１０、図１の電力増幅器１１４、図１の第２の送信元デバイス１１６、図４の送信元デバイス４０１、図４の変調シンボルマッピングモジュール４０２、図４の第１の変換モジュール４０４、図４の副搬送波マッピングモジュール４０６、図４の第１の逆変換モジュール４０８、図４のサイクリックプレフィックスモジュール４１０、図４のＰ／Ｓ変換器およびＤＡＣモジュール４１２、図４のＲＦ変調モジュール４１４、図７のワイヤレスインターフェース７４０、図７の命令７６０を実行するためにプログラムされたプロセッサ７１０、データパケットを生成するための１つもしくは複数の他のデバイス、回路、モジュール、もしくは命令、またはそれらの任意の組合せを含むことができる。
【００７２】
[0078]  第１の装置はまた、シングルキャリア周波数分割多元接続（ＳＣ−ＦＤＭＡ）変調方式に従って、データパケットの少なくとも一部を宛先デバイスに送信するための手段を含む。たとえば、データパケットの一部を送信するための手段は、図１の第１の送信元デバイス１０２、図１のワイヤレスインターフェース１１０、図１の送信元デバイス４０１、図７のワイヤレスインターフェース７４０、図７の命令７６０を実行するためにプログラムされたプロセッサ７１０、一部、データパケットを送信するための１つもしくは複数の他のデバイス、回路、モジュール、もしくは命令、またはそれらの任意の組合せを含み得る。
【００７３】
[0079]  説明した実施形態に関連して、第２の装置は、ＩＥＥＥ８０２．１１ワイヤレスネットワークを介してアップリンク送信するためのデータパケットを生成するための手段を含む。たとえば、データパケットを生成するための手段は、図１の第１の送信元デバイス１０２、図１のプロセッサ１０４、図１のメモリ１０６、図１のパケットジェネレータ１０８、図１のワイヤレスインターフェース１１０、図１の電力増幅器１１４、図１の第２の送信元デバイス１１６、図４の送信元デバイス４０１、図４の変調シンボルマッピングモジュール４０２、図４の第１の変換モジュール４０４、図４の副搬送波マッピングモジュール４０６、図４の第１の逆変換モジュール４０８、図４のサイクリックプレフィックスモジュール４１０、図４のＰ／Ｓ変換器およびＤＡＣモジュール４１２、図４のＲＦ変調モジュール４１４、図７のワイヤレスインターフェース７４０、図７の命令７６０を実行するためにプログラムされたプロセッサ７１０、データパケットを生成するための１つもしくは複数の他のデバイス、回路、モジュール、もしくは命令、またはそれらの任意の組合せを含むことができる。
【００７４】
[0080]  第２の装置はまた、シングルキャリア変調方式に従って、データパケットの少なくとも一部を宛先デバイスに送信するための手段を含む。たとえば、データパケットの一部を送信するための手段は、図１の第１の送信元デバイス１０２、図１のワイヤレスインターフェース１１０、図１の送信元デバイス４０１、図７のワイヤレスインターフェース７４０、図７の命令７６０を実行するためにプログラムされたプロセッサ７１０、データパケットの一部を送信するための１つもしくは複数の他のデバイス、回路、モジュール、もしくは命令、またはそれらの任意の組合せを含み得る。この実施形態では、宛先デバイスからのダウンリンク送信は、マルチキャリア変調方式に従って、ＩＥＥＥ  ８０２．１１ワイヤレスネットワークを介して受信され得る。
【００７５】
[0081]  説明した実施形態に関連して、第３の装置は、ＳＣ−ＦＤＭＡ変調方式に従って、送信元デバイスからデータパケットの少なくとも一部を受信するための手段を含む。データパケットは、ＩＥＥＥ８０２．１１ワイヤレスネットワークを介して受信される。たとえば、データパケットを受信するための手段は、図１の宛先デバイス１２２、図１のワイヤレスインターフェース１３０、図４の宛先デバイス４２１、図７のワイヤレスインターフェース７４０、図７の命令７６０を実行するためにプログラムされたプロセッサ７１０、データパケットの一部を受信するための１つもしくは複数の他のデバイス、回路、モジュール、もしくは命令、またはそれらの任意の組合せを含むことができる。
【００７６】
[0082]  第３の装置はまた、データパケットを処理するための手段を含む。たとえば、データパケットを処理するための手段は、図１の宛先デバイス１２２、図１のプロセッサ１２４、図１のメモリ１２６、図４の宛先デバイス４２１、図４のＲＦ復調モジュール４１６、図４のＡＤＣおよびＳ／Ｐ変換器モジュール４１８、図４のサイクリックプレフィックス除去モジュール４２０、図４の第２の変換モジュール４２２、図４の副搬送波デマッピングモジュール４２４、図４のイコライザ４２６、図４の検出器４２８、図７のワイヤレスインターフェース７４０、図７の命令７６０を実行するためにプログラムされたプロセッサ７１０、データパケットを処理するための１つもしくは複数の他のデバイス、回路、モジュール、もしくは命令、またはそれらの任意の組合せを含むことができる。
【００７７】
[0083]  説明した実施形態に関連して、第４の装置は、送信元デバイスからアップリンク送信を受信するための手段を含む。この実施形態では、アップリンク送信は、シングルキャリア変調方式に従って受信されたデータパケットの少なくとも一部を含む。データパケットは、ＩＥＥＥ８０２．１１ワイヤレスネットワークを介して受信される。たとえば、アップリンク送信を受信するための手段は、図１の宛先デバイス１２２、図１のワイヤレスインターフェース１３０、図４の宛先デバイス４２１、図７のワイヤレスインターフェース７４０、図７の命令７６０を実行するためにプログラムされたプロセッサ７１０、アップリンク送信を受信するための１つもしくは複数の他のデバイス、回路、モジュール、もしくは命令、またはそれらの任意の組合せを含むことができる。
【００７８】
[0084]  第４の装置はまた、データパケットを処理するための手段を含む。たとえば、データパケットを処理するための手段は、図１の宛先デバイス１２２、図１のプロセッサ１２４、図１のメモリ１２６、図４の宛先デバイス４２１、図４のＲＦ復調モジュール４１６、図４のＡＤＣおよびＳ／Ｐ変換器モジュール４１８、図４のサイクリックプレフィックス除去モジュール４２０、図４の第２の変換モジュール４２２、図４の副搬送波デマッピングモジュール４２４、図４のイコライザ４２６、図４の検出器４２８、図７のワイヤレスインターフェース７４０、図７の命令７６０を実行するためにプログラムされたプロセッサ７１０、データパケットを処理するための１つもしくは複数の他のデバイス、回路、モジュール、もしくは命令、またはそれらの任意の組合せを含むことができる。この実施形態では、ダウンリンク送信は、マルチキャリア変調方式に従って、ＩＥＥＥ  ８０２．１１ワイヤレスネットワークを介して送信される。
【００７９】
[0085]  当業者は、本明細書で開示する実施形態に関して説明する、様々な例示的な論理ブロック、構成、モジュール、回路、およびアルゴリズムステップは、電子ハードウェア、プロセッサによって実行されるコンピュータソフトウェア、または両方の組合せとして実装され得ることをさらに理解するであろう。様々な例示的な構成要素、ブロック、構成、モジュール、回路、およびステップが、それらの機能の観点から一般的に上述されている。そのような機能がハードウェアとして実装されるか、またはプロセッサ実行可能命令として実装されるかは、特定の適用例および全体的なシステムに課された設計制約に依存する。当業者は、説明されている機能を特定の適用例ごとに様々な方法で実装することができるが、そのような実装の決定は、本開示の範囲からの逸脱を引き起こすと解釈されるべきではない。
【００８０】
[0086]  本明細書で開示する実施形態に関して説明する方法またはアルゴリズムのステップは、直接ハードウェアで、プロセッサによって実行されるソフトウェアモジュールで、またはそれら２つの組合せで具体化され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的記憶媒体に存在することができる。例示的な記憶媒体は、プロセッサが記憶媒体から情報を読み取り、記憶媒体に情報を書き込むことができるようにプロセッサに結合される。代替として、記憶媒体はプロセッサと一体であり得る。プロセッサおよび記憶媒体は、特定用途向け集積回路（ＡＳＩＣ）内に存在することができる。ＡＳＩＣは、コンピューティングデバイスまたはユーザ端末に存在することができる。代替として、プロセッサおよび記憶媒体は、個別の構成要素として、コンピューティングデバイスまたはユーザ端末内に存在することができる。
【００８１】
[0087]  開示した実施形態の上記の説明は、開示した実施形態を当業者が作成または使用することを可能にするために提供されている。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。
【図１】
2017502547.tif 000003
【図２】
2017502547.tif 000004
【図３】
2017502547.tif 000005
【図４】
2017502547.tif 000006
【図５】
2017502547.tif 000007
【図６】
2017502547.tif 000008
【図７】
2017502547.tif 000009
【国際調査報告】
2017502547.tif 000010
2017502547.tif 000011